(57)【特許請求の範囲】
【請求項１】
電子楽器の本体部に設けられ該電子楽器の使用状態において略水平に配置されるスピーカ取付け板と、
相互に間隔を隔てて前記本体部から下方向に向かって突出し、下端において前記電子楽器の設置面と接する複数の支持脚と、
前記本体部から下方向に向かって突出し、下端においてペダルを配設して成るペダル部と、
前記スピーカ取付け板に、その正面が上方に向くように固着されたスピーカと、
前記設置面に該スピーカの背面からの放出音が到達するように該スピーカの面積よりも広い面積の開放孔を形成しつつ、該スピーカの背面を覆うエンクロージャ部と
を有することを特徴とする電子楽器の楽音発生構造。
【請求項２】
少なくとも２つのスピーカを備えたエンクロージャ部を有する電子楽器の楽音発生構造において、
前記エンクロージャ部は、前記電子楽器の使用状態において略水平に上向きに配置されるように前記各スピーカを固着する上部板と、前記上部板から下方に連設して形成された側面部と、前記スピーカの面積よりも充分に広い面積を有する開放孔を形成しつつ、該スピーカの背面を覆う背面部とから成り、
前記エンクロージャ部は、前記側面部とは異なる分離板によって、平面形状を異にするとともに各々に前記開放孔を有する２つのエンクロージャに分離され、
前記背面部は、前記電子楽器の使用状態において前記開放孔が下に向くように配置されている
ことを特徴とする電子楽器の楽音発生構造。
【請求項３】
前記電子楽器の正面から見て左右方向に傾斜するように回動可能に構成され前記スピーカの正面に対向する反射板を有することを特徴とする請求項１または２記載の電子楽器の楽音発生構造。
【発明の詳細な説明】
【０００１】
【発明の属する技術分野】
本発明は、電子楽器、特に電子ピアノに用いて好適な電子楽器の楽音発生構造に関する。
【０００２】
【従来の技術】
一般的に電子ピアノ等においては、再生した楽音信号を発音するためのアンプとスピーカシステムとが内蔵されている。電子ピアノにおいては、アコースティックピアノと変わらない楽音を発生させることが重要な課題であり、このために主として音源方式等において技術革新が重ねられているが、やはりアコースティックピアノが持つニュアンスを再現することには相当の困難が伴う。
【０００３】
【発明が解決しようとする課題】
ところで、本発明者らが検討したところによれば、アコースティックピアノが持つ独特のニュアンスは、その発音メカニズムに起因するのではないかと思われた。まず、アコースティックピアノにおいてはハンマで弦を打弦すると、弦の振動が駒を介して饗板に伝わり、饗板が振動することにより楽音が発生する。しかし、饗板の振動によりピアノ全体が振動すること、アコースティックピアノ（ここではグランドピアノの場合）の上面および下面の双方から楽音が発生すること、上面から発生した楽音は蓋（反射板）によって反射され下面から発生した楽音は床によって反射されて聴衆に届くこと、等が楽音のニュアンスの形成に重要な役割を果たしているのではないかと思われた。
この発明は上述した事情に鑑みてなされたものであり、アコースティックピアノ等、自然楽器のニュアンスを忠実に再現する電子楽器の楽音発生構造を提供することを目的としている。
【０００４】
【課題を解決するための手段】
上記課題を解決するため本発明にあっては、下記構成を具備することを特徴とする。なお、括弧内は例示である。
請求項１記載の構成にあっては、電子楽器の本体部（１）に設けられ該電子楽器の使用状態において略水平に配置されるスピーカ取付け板（３２）と、相互に間隔を隔てて前記本体部（１）から下方向に向かって突出し、下端において前記電子楽器の設置面と接する複数の支持脚（２２，２４，２６）と、前記本体部（１）から下方向に向かって突出し、下端においてペダルを配設して成るペダル部（２８）と、前記スピーカ取付け板に、その正面が上方に向くように固着されたスピーカ（４１〜４４）と、前記設置面に該スピーカの背面からの放出音が到達するように該スピーカの面積よりも広い面積の開放孔（貫通孔５２ａ，５２ｂ）を形成しつつ、該スピーカの背面を覆うエンクロージャ部（３４，５０，５２，５４）とを有することを特徴とする。
また、請求項２記載の構成にあっては、少なくとも２つのスピーカ（４１〜４４）を備えたエンクロージャ部（５６，５８）を有する電子楽器の楽音発生構造において、前記エンクロージャ部は、前記電子楽器の使用状態において略水平に上向きに配置されるように前記各スピーカを固着する上部板（スピーカ取付け板３２）と、前記上部板から下方に連設して形成された側面部（側板３４）と、前記スピーカの面積よりも充分に広い面積を有する開放孔（貫通孔５２ａ，５２ｂ）を形成しつつ、該スピーカの背面を覆う背面部（底板５２）とから成り、前記エンクロージャ部は、前記側面部とは異なる分離板（５４）によって、平面形状を異にするとともに各々に前記開放孔（貫通孔５２ａ，５２ｂ）を有する２つのエンクロージャ（５６，５８）に分離され、前記背面部は、前記電子楽器の使用状態において前記開放孔が下に向くように配置されていることを特徴とする。
さらに、請求項３記載の構成にあっては、請求項１または２記載の構成において、前記電子楽器の正面から見て左右方向に傾斜するように回動可能に構成され前記スピーカの正面に対向する反射板（１０）を有することを特徴とする。
【０００５】
【発明の実施の形態】
次に、本発明の一実施形態の電子ピアノの構成を図面を参照し説明する。
図１において２は鍵盤であり、電子ピアノの正面に設けられている。４は鍵盤蓋であり、鍵盤２を覆うとともに開閉自在になっている。なお、同図においてセンターラインＣＬより右は鍵盤蓋４を取り去った状態、左側は鍵盤蓋４を閉めた状態を示す。６は匡体上板であり、鍵盤２よりも奥に設けられている。８は譜面台であり、譜面板８１と譜面台８２とから構成され、匡体上板６の上面に設けられている。１０は反射板であり、匡体上板６以外の電子ピアノの上面を覆っている。１２は蝶番であり、電子ピアノの匡体左部（より詳しくは左腕木１ａの上端面）に固着され、反射板１０を回動自在に軸支している。１ｂは右腕木である。反射板１０の裏面には、ステ−受け部１６，１８が固着されている。
【０００６】
次に、図２において２０は長ステー，２１は短ステーであり、各々ステ−受け部１６，１８に嵌合されると、図示のように反射板１０を左右方向に傾斜させたまま支持する。また、２２，２４，２６は電子ピアノの支持脚、２８はペダル部であり、該電子ピアノの下部に設けられている。次に、図３において、反射板１０を閉じた状態では、匡体上板６と反射板１０の上面とが水平かつ面一になるように配設されている。３４は側板であり、平面形状（上方から見た形状）が非線形円弧型（円半径が連続して変化している曲線から成る型）になるように形成されている。３２はスピーカ取付け板であり、側板３４の上部にはめ込まれている。スピーカ取付け板３２は側板３４の内側面に沿うような形状をなし、一枚板で構成され、後述の４つのスピーカが全て固着されて成る。このスピーカ取付け板３２は、質量が大きく比較的堅い板（例えばパーチクルボードと化粧板との一体構造）で構成されている。また、スピーカ取付け板３２と反射板１０との間には、スピーカネット３０が介挿されている。そして、楽器本体１は、金属製の骨材５１で支えられている。
【０００７】
次に、図１において反射板１０および譜面台８を取り去った状態の平面図を図４に示す。図４においてスピーカネット３０は、金属製の骨材３０ｂと、骨材３０ｂの上面全体を覆うネット３０ａとから構成され、マジックテープ（商標）によりスピーカ取付け板３２に着脱自在に取りつけられている。なお、図においてはネット３０ａは一部のみ図示する。スピーカネット３０は、側板３４の内側でスピーカ取付け板３２上面を覆う部分に形成されており、該スピーカネット３０の前方にはスペースを介して匡体上板６が奥行方向に短めに形成されている。従って、スピーカネット３０の前端面前方３０ｃと匡体上板６の後端面後方６１と屋根板７０の上面との間に上記スペースが生じ、このスペースは凹部４０を形成する。
【０００８】
従って、ユーザは凹部４０に上述したステー２１，２２、手入れ布、筆記具等を収納することができ、これらは反射板１０を閉じると外部から見えなくなる。また、反射板１０がスピーカ取付け板３２よりも広くなっていることにより、より広い範囲で音を反射することができ、特に演奏会等においては反射板１０を開けた状態では、本人及び聴衆に楽音が聞こえやすくなる。４１〜４４はスピーカであり、より詳しくは、４１，４２は左右のツイータ、４３，４４は左右のウーハである。
【０００９】
次に、図４においてスピーカネット３０およびスピーカ取付け板３２を取り去った状態の平面図を図５に示す。図において５０は長方形木材板のエンクロージャ仕切り板であり、側板３４と略同一の高さを有し、骨材５１（図３参照）に固着されている。５４は長方形木材板のエンクロージャ分離板であり、側板３４およびエンクロージャ仕切り板５０と略同一の高さを有し、電子ピアノ匡体の中央よりやや左側の位置において側板３４とエンクロージャ仕切り板５０との間に介挿され、両者に固着されている。
【００１０】
５２は木材板の底板であり、側板３４およびエンクロージャ仕切り板５０によって形成される筒状部材の底面形状に沿う形状を有し、側板３４およびエンクロージャ仕切り板５０に固着されている。これらエンクロージャ仕切り板５０、側板３４、エンクロージャ分離板５４および底板５２によって囲まれた空間が左エンクロージャ５６および右エンクロージャ５８になる。さらに、エンクロージャ分離板５４を設けたことにより、匡体が全体として補強される。底板５２には、各エンクロージャ５６，５８の内周面から若干の余裕を残して貫通孔５２ａ，５２ｂが形成されている。そして、貫通孔５２ａ，５２ｂの開口面積は、対応するスピーカ４１〜４４の面積よりも充分に広くなっている。また、エンクロージャ５６，５８の内周面には全周に渡って幅５〜２０ｍｍ程度の消音材６０，６２が固着されている。
【００１１】
このように、薄い消音材６０，６２を用いたことも本実施形態の特徴の一つである。すなわち、本実施形態においては、スピーカ４１〜４４の背面から貫通孔５２ａ，５２ｂを介して放音され、床面に反射されて聴衆に届く音や、スピーカ４１〜４４の振動に応じて匡体全体が振動することによって発散される音も重視しているため、この特徴を活かすように薄い消音材６０，６２を用いたものである。上記構成において反射板１０を傾斜させ鍵盤２を操作してスピーカ４１〜４４から楽音を発生させると、スピーカ４１〜４４の正面から放出された楽音は反射板１０によって反射される。また、スピーカ４１〜４４の背面から放出された音は床に反射される。さらに、スピーカ取付け板３２および薄い消音材６０，６２を介して電子ピアノの匡体全体が振動し、これらの音が一体となって聴衆に届く。
【００１２】
ここで、本実施形態による周波数特性を図６に示しておく。なお、本特性は、通常の演奏者の耳の位置において計測したものである。図において「補正なし」の特性は、周波数をスイープしつつフラットな出力をアンプを介してスピーカ４１〜４４に印加した時の音圧であり、「補正あり」の特性は、このアンプの前段にイコライザを介挿した時の特性である。同図から明らかなように、イコライザの特性は、１６０Ｈz以下の低音域で０〜１０ｄＢ程度レベルを増加し、１６０Ｈz〜２ｋＨzの中音域において０〜４ｄＢ程度レベルを減少し、２ｋＨz以上の高音域において０〜１０ｄＢ程度レベルを増加するように設定されている。
【００１３】
本実施形態においては、一般のスピーカボックスと比較してエンクロージャの密閉度が低く、消音材６０，６２が薄いにもかかわらず同図のように、ほぼフラットな特性が得られる。これは、エンクロージャを構成する側板３４の平面形状が非線形円弧型になるように形成されたことにより、特定の周波数における定在波や回り込み等の影響が緩和されているものと推察される。
【００１４】
【発明の効果】
以上説明したように本発明によれば、アコースティックピアノ等と類似した楽音発生構造により、アコースティックピアノ等自然楽器の持つニュアンスや表情を再生楽音上に忠実に再現することができる。
【図面の簡単な説明】
【図１】  本発明の一実施形態の電子ピアノの平面図である。
【図２】  上記電子ピアノの正面図である。
【図３】  上記電子ピアノの右側面図である。
【図４】  反射板１０および譜面台８を取り去った状態の平面図である。
【図５】  図４よりさらにスピーカネット３０およびスピーカ取付け板３２を取り去った状態の平面図である。
【図６】  上記電子ピアノの周波数特性図である。
【符号の説明】
２……鍵盤、４……鍵盤蓋、６……匡体上板、８……譜面台、１０……反射板、１２……蝶番、１６，１８……ステ−受け部、２０……長ステー、２１……短ステー、２２，２４，２６……支持脚、２８……ペダル部、３０……スピーカネット、３０ａ……ネット、３０ｂ……骨材、３２……スピーカ取付け板、３４……側板、４０……凹部、４１，４２……ツイータ、４３，４４……左右のウーハ、５０……エンクロージャ仕切り板、５１……骨材、５２……底板、５２ａ，５２ｂ……貫通孔（解放孔）、５４……エンクロージャ分離板、５６……左エンクロージャ、５８……右エンクロージャ、６０，６２……消音材。
【図１】
0003644356.tif 000002
【図２】
0003644356.tif 000003
【図３】
0003644356.tif 000004
【図４】
0003644356.tif 000005
【図５】
0003644356.tif 000006
【図６】
0003644356.tif 000007